(57)【特許請求の範囲】
【請求項１】
物体側から順に、正パワーを有する第１群と、負パワーを有する第２群と、正パワーを有する第３群と、正パワーを有する第４群と、正パワーを有する第５群と、を含み、各群間隔を変化させることにより変倍を行う５群構成のズームレンズであって、広角端から望遠端への変倍において少なくとも前記第１群が移動し、前記第１群が２枚以下のレンズで構成され、前記第３群が物体側に凸面を向けた正レンズを最も物体側に有し、その正レンズの少なくとも一方の面が非球面であり、以下の条件式（１Ａ）及び（１Ｂ）を満足し、前記第３群が、物体側から順に、正レンズと、負レンズと、正レンズと、負レンズと、で構成され、以下の条件式（２）を満足することを特徴とするズームレンズ；
１．６７＞Ｎｄ３１  …（１Ａ）
４７．０＞νｄ３１  …（１Ｂ）
−１．０＜ｆ３Ｌ／ｆ３＜−０．５  …（２）
ただし、
Ｎｄ３１：第３群を構成している最も物体側の正レンズのｄ線に関する屈折率、
νｄ３１：第３群を構成している最も物体側の正レンズのｄ線に関するアッベ数、
ｆ３Ｌ：第３群を構成している最も像側の負レンズの焦点距離、
ｆ３：第３群の焦点距離、
である。
【請求項２】
物体側から順に、正パワーを有する第１群と、負パワーを有する第２群と、正パワーを有する第３群と、正パワーを有する第４群と、正パワーを有する第５群と、を含み、各群間隔を変化させることにより変倍を行う５群構成のズームレンズであって、広角端から望遠端への変倍において少なくとも前記第１群が移動し、前記第１群が２枚以下のレンズで構成され、前記第３群が物体側に凸面を向けた正レンズを最も物体側に有し、その正レンズの少なくとも一方の面が非球面であり、以下の条件式（１Ａ）及び（１Ｂ）を満足し、前記第２群が、物体側から順に、負レンズと、負レンズと、正レンズと、で構成され、以下の条件式（４）を満足することを特徴とするズームレンズ；
１．６７＞Ｎｄ３１  …（１Ａ）
４７．０＞νｄ３１  …（１Ｂ）
０．８＜ＳＦ＜１０  …（４）
ただし、
Ｎｄ３１：第３群を構成している最も物体側の正レンズのｄ線に関する屈折率、
νｄ３１：第３群を構成している最も物体側の正レンズのｄ線に関するアッベ数、
ＳＦ＝（ＣＲ２Ｒ＋ＣＲ２Ｆ）／（ＣＲ２Ｒ−ＣＲ２Ｆ）
ＣＲ２Ｆ：第２群を構成している物体側から２番目の負レンズの物体側面の曲率半径、
ＣＲ２Ｒ：第２群を構成している物体側から２番目の負レンズの像側面の曲率半径、
である。
【請求項３】
前記第２群が、物体側から順に、負レンズと、負レンズと、正レンズと、で構成され、以下の条件式（４）を満足することを特徴とする請求項１記載のズームレンズ；
０．８＜ＳＦ＜１０  …（４）
ただし、
ＳＦ＝（ＣＲ２Ｒ＋ＣＲ２Ｆ）／（ＣＲ２Ｒ−ＣＲ２Ｆ）
ＣＲ２Ｆ：第２群を構成している物体側から２番目の負レンズの物体側面の曲率半径、
ＣＲ２Ｒ：第２群を構成している物体側から２番目の負レンズの像側面の曲率半径、
である。
【請求項４】
以下の条件式（３）を満足することを特徴とする請求項１〜３のいずれか１項に記載のズームレンズ；
０．４＜（β２ｔ／β２ｗ）／（β３ｔ／β３ｗ）＜１．０  …（３）
ただし、
β２ｗ：広角端での第２群の倍率、
β２ｔ：望遠端での第２群の倍率、
β３ｗ：広角端での第３群の倍率、
β３ｔ：望遠端での第３群の倍率、
である。
【請求項５】
ズーム比が５〜１０であることを特徴とする請求項１〜４のいずれか１項に記載のズームレンズ。
【請求項６】
請求項１〜５のいずれか１項に記載のズームレンズと、受光面上に形成された光学像を電気的な信号に変換する撮像素子と、を備え、前記撮像素子の受光面上に被写体の光学像が形成されるように前記ズームレンズが設けられていることを特徴とする撮像光学装置。
【請求項７】
請求項６記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明はズームレンズ，撮像光学装置及びデジタル機器に関するものである。例えば、被写体の映像を撮像素子（例えば、ＣＣＤ(Charge Coupled Device)型イメージセンサ，ＣＭＯＳ(Complementary Metal-Oxide Semiconductor)型イメージセンサ等の固体撮像素子）で取り込むデジタルカメラ等の画像入力機能付きデジタル機器に適した高変倍のズームレンズと、そのズームレンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、パーソナルコンピュータの普及に伴い、手軽に画像を取り込めるデジタルカメラが普及しつつある。それに伴い、より小型のデジタルカメラが求められるようになってきており、撮影レンズ系にもより一層の小型化が要望されている。一方、撮像素子の画素数が年々増加の傾向にあるため、撮像素子の高画素化に対応した高い光学性能と、製品サイクルの短縮に対応できる作り易さと、が撮影レンズ系に求められている。また、ズーム比が７倍や１０倍を越える高変倍ズームレンズの小型化も一般化してきており、更なる高変倍化が期待されている一方で、画質向上への期待、特に色収差低減の期待が大きい。こういった要求に応えるべく様々なタイプのズームレンズが従来より提案されている（例えば、特許文献１〜３参照。）。
【先行技術文献】
【特許文献】
【０００３】
【特許文献１】特開２００３−２１５４５７号公報
【特許文献２】特開２００３−２０２５００号公報
【特許文献３】特開２００２−２４４０３９号公報
【発明の概要】
【発明が解決しようとする課題】
【０００４】
上述したように、更なる高変倍化や小型化に加えて高性能化、特に色収差を小さくするという要求に応えていく必要があるが、従来より知られているズームレンズではこれらの要求に充分応えることができない、例えば、特許文献１，２に記載のズームレンズでは、第１群をレンズ３枚構成としているため、小型化が充分とは言い難い。特許文献３に記載のズームレンズでは、第１群をレンズ２枚構成とすることにより軽量小型化を図っているものの、色収差が大きく、高性能とは言い難い。
【０００５】
本発明はこのような状況に鑑みてなされたものであって、その目的は、高変倍かつ小型でありながら色収差を抑えた高性能のズームレンズ，それを備えた撮像光学装置及びデジタル機器を提供することにある。
【課題を解決するための手段】
【０００６】
上記目的を達成するために、第１の発明のズームレンズは、物体側から順に、正パワーを有する第１群と、負パワーを有する第２群と、正パワーを有する第３群と、正パワーを有する第４群と、正パワーを有する第５群と、を含み、各群間隔を変化させることにより変倍を行う５群構成のズームレンズであって、広角端から望遠端への変倍において少なくとも前記第１群が移動し、前記第１群が２枚以下のレンズで構成され、前記第３群が物体側に凸面を向けた正レンズを最も物体側に有し、その正レンズの少なくとも一方の面が非球面であり、以下の条件式（１Ａ）及び（１Ｂ）を満足し、前記第３群が、物体側から順に、正レンズと、負レンズと、正レンズと、負レンズと、で構成され、以下の条件式（２）を満足することを特徴とする。
１．６７＞Ｎｄ３１  …（１Ａ）
４７．０＞νｄ３１  …（１Ｂ）
−１．０＜ｆ３Ｌ／ｆ３＜−０．５  …（２）
ただし、
Ｎｄ３１：第３群を構成している最も物体側の正レンズのｄ線に関する屈折率、
νｄ３１：第３群を構成している最も物体側の正レンズのｄ線に関するアッベ数、
ｆ３Ｌ：第３群を構成している最も像側の負レンズの焦点距離、
ｆ３：第３群の焦点距離、
である。
【０００７】
第２の発明のズームレンズは、物体側から順に、正パワーを有する第１群と、負パワーを有する第２群と、正パワーを有する第３群と、正パワーを有する第４群と、正パワーを有する第５群と、を含み、各群間隔を変化させることにより変倍を行う５群構成のズームレンズであって、広角端から望遠端への変倍において少なくとも前記第１群が移動し、前記第１群が２枚以下のレンズで構成され、前記第３群が物体側に凸面を向けた正レンズを最も物体側に有し、その正レンズの少なくとも一方の面が非球面であり、以下の条件式（１Ａ）及び（１Ｂ）を満足し、前記第２群が、物体側から順に、負レンズと、負レンズと、正レンズと、で構成され、以下の条件式（４）を満足することを特徴とする。
１．６７＞Ｎｄ３１  …（１Ａ）
４７．０＞νｄ３１  …（１Ｂ）
０．８＜ＳＦ＜１０  …（４）
ただし、
Ｎｄ３１：第３群を構成している最も物体側の正レンズのｄ線に関する屈折率、
νｄ３１：第３群を構成している最も物体側の正レンズのｄ線に関するアッベ数、
ＳＦ＝（ＣＲ２Ｒ＋ＣＲ２Ｆ）／（ＣＲ２Ｒ−ＣＲ２Ｆ）
ＣＲ２Ｆ：第２群を構成している物体側から２番目の負レンズの物体側面の曲率半径、
ＣＲ２Ｒ：第２群を構成している物体側から２番目の負レンズの像側面の曲率半径、
である。
【０００８】
第３の発明のズームレンズは、上記第１の発明において、前記第２群が、物体側から順に、負レンズと、負レンズと、正レンズと、で構成され、以下の条件式（４）を満足することを特徴とする。
０．８＜ＳＦ＜１０  …（４）
ただし、
ＳＦ＝（ＣＲ２Ｒ＋ＣＲ２Ｆ）／（ＣＲ２Ｒ−ＣＲ２Ｆ）
ＣＲ２Ｆ：第２群を構成している物体側から２番目の負レンズの物体側面の曲率半径、
ＣＲ２Ｒ：第２群を構成している物体側から２番目の負レンズの像側面の曲率半径、
である。
【０００９】
第４の発明のズームレンズは、上記第１〜第３のいずれか１つの発明において、以下の条件式（３）を満足することを特徴とする。
０．４＜（β２ｔ／β２ｗ）／（β３ｔ／β３ｗ）＜１．０  …（３）
ただし、
β２ｗ：広角端での第２群の倍率、
β２ｔ：望遠端での第２群の倍率、
β３ｗ：広角端での第３群の倍率、
β３ｔ：望遠端での第３群の倍率、
である。
【００１０】
第５の発明のズームレンズは、上記第１〜第４のいずれか１つの発明において、ズーム比が５〜１０であることを特徴とする。
【００１１】
第６の発明の撮像光学装置は、上記第１〜第５のいずれか１つの発明に係るズームレンズと、受光面上に形成された光学像を電気的な信号に変換する撮像素子と、を備え、前記撮像素子の受光面上に被写体の光学像が形成されるように前記ズームレンズが設けられていることを特徴とする。
【００１２】
第７の発明のデジタル機器は、上記第６の発明に係る撮像光学装置を備えることにより、被写体の静止画撮影，動画撮影のうちの少なくとも一方の機能が付加されたことを特徴とする。
【発明の効果】
【００１３】
本発明によれば、物体側から順に正・負・正・正・正の５群を含む５群構成のズームレンズにおいて、第３群を構成している最も物体側の正レンズが所定の条件を満たした構成になっているため、高変倍かつ小型でありながら色収差を抑えた高い光学性能を達成することが可能である。したがって、小型・高性能で高変倍のズームレンズを備えた撮像光学装置を実現することができる。そして、本発明に係る撮像光学装置をデジタルカメラ等のデジタル機器に用いることによって、デジタル機器に対し高性能の画像入力機能をコンパクトに付加することが可能となる。
【図面の簡単な説明】
【００１４】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】実施例１の収差図。
【図６】実施例２の収差図。
【図７】実施例３の収差図。
【図８】実施例４の収差図。
【図９】撮像光学装置を搭載したデジタル機器の概略構成例を示す模式図。
【発明を実施するための形態】
【００１５】
以下、本発明に係るズームレンズ，撮像光学装置及びデジタル機器を説明する。本発明に係るズームレンズは、物体側から順に、正パワーを有する第１群と、負パワーを有する第２群と、正パワーを有する第３群と、正パワーを有する第４群と、正パワーを有する第５群と、を含み、各群間隔を変化させることにより変倍を行う５群構成のズームレンズであって、広角端から望遠端への変倍において少なくとも前記第１群が移動し、前記第１群が２枚以下のレンズで構成され、前記第３群が物体側に凸面を向けた正レンズを最も物体側に有し、その正レンズの少なくとも一方の面が非球面であり、以下の条件式（１Ａ）及び（１Ｂ）を満足することを特徴としている（パワー：焦点距離の逆数で定義される量）。
１．６７＞Ｎｄ３１  …（１Ａ）
４７．０＞νｄ３１  …（１Ｂ）
ただし、
Ｎｄ３１：第３群を構成している最も物体側の正レンズのｄ線に関する屈折率、
νｄ３１：第３群を構成している最も物体側の正レンズのｄ線に関するアッベ数、
である。
【００１６】
上記のようにレンズ２枚以下の第１群を移動群とする５群ズーム構成とし、第３群の最も物体側に条件式（１Ａ）及び（１Ｂ）を満足する特徴的なレンズを配置することにより、充分な性能を確保しながらコンパクト化を図り、色収差を抑えることが可能となる。したがって、小型で高変倍・高性能のズームレンズを実現することができる。
【００１７】
第１群がレンズ３枚で構成されている場合、望遠端における軸上色収差及び倍率色収差を補正する上で、第３群の最も物体側の正レンズは低分散であることが望ましい。しかし、第１群がレンズ３枚で構成されることで、小型化を図ることは困難になる。それに対し、第１群をレンズ２枚で構成すると、第３群の最も物体側の正レンズの材料特性の最適化を図ることにより、色収差補正が可能となる。
【００１８】
条件式（１Ａ）及び（１Ｂ）は、第３群の最も物体側に配置する正レンズ（すなわち正パワーを有する単レンズ）の最適な材料特性として、ｄ線に関する屈折率及びアッベ数の好ましい条件範囲を規定している。条件式（１Ａ）及び（１Ｂ）の範囲を外れると、上記正レンズの屈折率及びアッベ数の影響で収差性能が劣化する。例えば、条件式（１Ａ）の範囲を外れて屈折率が高くなると、望遠端での球面収差及び像面湾曲の補正が困難となる。それを良好に補正するためには、レンズ枚数の追加あるいは非球面の追加が必要となるため好ましくない。一方、条件式（１Ｂ）の範囲を外れて分散が低くなると、色収差、特に望遠端での軸上色収差及び倍率色収差のバランスが悪くなり、最適化が困難となる。
【００１９】
上記特徴的構成によると、高変倍かつ小型でありながら色収差を抑えた高性能のズームレンズ及びそれを備えた撮像光学装置を実現することが可能である。また、撮像光学装置が軽量小型化されるため、その撮像光学装置をデジタルカメラ，携帯情報端末等のデジタル機器に用いれば、デジタル機器に対し高性能の画像入力機能を軽量・コンパクトに付加することが可能となる。したがって、デジタル機器のコンパクト化，高性能化，高機能化等に寄与することができる。こういった効果をバランス良く得るとともに、更に高い光学性能，小型化等を達成するための条件等を以下に説明する。
【００２０】
高い光学性能を保持しつつコンパクトで高変倍比のズームレンズを実現する上で、ズーム比は５〜１０であることが望ましく、そのなかでもズーム比６〜７であることが更に望ましい。５〜１０倍程度の高いズーム比を得ようとすれば、ズームレンズの小型化，高性能化等は通常困難になるが、第３群の最も物体側に位置する正レンズ等に関する前記特徴的構成によれば、小型化，高性能化等を達成しながら高いズーム比を得ることができる。したがって、小型化と高性能化とを両立させながら高変倍化を達成することが可能となる。なお、ズーム比１０を超える更なる高変倍化を図ろうとすると、第１群のレンズ枚数を３枚以上で構成する等の必要が生じて大型化を招いてしまい、大型化を抑えようとすれば光学性能の低下を招いてしまう。
【００２１】
前記条件式（１Ａ）の代わりに以下の条件式（１Ａａ）を満たすことが望ましく、前記条件式（１Ｂ）の代わりに以下の条件式（１Ｂａ）を満たすことが望ましい。
１．６５＞Ｎｄ３１  …（１Ａａ）
４５．０＞νｄ３１  …（１Ｂａ）
これらの条件式（１Ａａ），（１Ｂａ）は、前記条件式（１Ａ），（１Ｂ）が規定している条件範囲のなかでも、前記観点等に基づいた更に好ましい条件範囲をそれぞれ規定している。したがって、好ましくは条件式（１Ａａ），（１Ｂａ）を満たすことにより、上記効果をより一層大きくすることができる。
【００２２】
第３群が、物体側から順に、正レンズと、負レンズと、正レンズと、負レンズと、で構成され、以下の条件式（２）を満足することが望ましい。
−１．０＜ｆ３Ｌ／ｆ３＜−０．５  …（２）
ただし、
ｆ３Ｌ：第３群を構成している最も像側の負レンズの焦点距離、
ｆ３：第３群の焦点距離、
である。
【００２３】
第３群を上記のように構成することにより、球面収差と色収差を適切に補正することが可能となる。前記５群構成では第３群に入射する光束を収束させるように強いパワーを持った面が必要であるが、強いパワーを持たせると収差（特に球面収差）が発生しやすくなるため好ましくない。また、収差補正上、光線高さの変動を抑えることが一般的には有利である。第３群内を上記の正・負・正・負のレンズ構成とし、かつ、条件式（２）を満たすことにより、光線高さの変動を抑えることが可能になるとともに、負レンズと正レンズとの組み合わせによる色収差補正（特に望遠端での色収差補正）を効率良く行うことが可能になる。
【００２４】
条件式（２）の上限を越えると、第３群を構成している最も像側の負レンズ（すなわち、第３群の最終レンズ）のパワーが強くなって、第３群の最終レンズでの光線変化が大きくなり、その結果、収差劣化が生じ、特に球面収差が大きく発生してしまう。また、ペッツバール和が悪くなるため、正レンズのパワーを大きくしたり屈折率を上げたりする必要が生じる。このため、収差補正が更に難しくなる。条件式（２）の下限を越えると、第３群の最終レンズの負パワーが弱くなり、その前にある負レンズ（すなわち２枚目の負レンズ）の負担が増えて、結果として、上記上限を越えた場合と同様の問題が２枚目の負レンズに関して生じることになる。したがって、条件式（２）を満たせば、２枚の負レンズのパワーバランスを適正にして、良好な収差補正を達成することが可能となる。
【００２５】
以下の条件式（２ａ）を満足することが更に望ましい。
−０．９＜ｆ３Ｌ／ｆ３＜−０．５５  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００２６】
以下の条件式（３）を満足することが望ましい。
０．４＜（β２ｔ／β２ｗ）／（β３ｔ／β３ｗ）＜１．０  …（３）
ただし、
β２ｗ：広角端での第２群の倍率、
β２ｔ：望遠端での第２群の倍率、
β３ｗ：広角端での第３群の倍率、
β３ｔ：望遠端での第３群の倍率、
である。
【００２７】
条件式（３）は、第２群の変倍比と第３群の変倍比との比で、第２群と第３群の変倍負担の割合に関する好ましい条件範囲を規定している。条件式（３）の上限を越えると、第２群の変倍負担が増大して、変倍比を稼ぐために移動量を増大させたりパワーを強くしたりする必要が生じる。移動量が大きい状態で小型化を達成しようとすると、鏡筒の構成が複雑になり、簡単な構成にすると、サイズが大きくなってコンパクト化の達成が困難になる。また、パワーを強くすると収差補正（特に色収差補正）が困難となり、レンズ枚数の追加等が必要になり、これもまたサイズアップの要因となる。逆に、条件式（３）の下限を越えると、第２群の変倍負担が減少して、第３群の変倍負担が増大する。これにより、第３群の移動量を増大させると、望遠端での全長が伸びてしまって鏡筒の肥大化を伴うことになる。あるいは、移動量を増やさずに変倍比を上げようとすると、第３群のパワーが強くなることになり、収差（例えば球面収差）の補正が困難になる。
【００２８】
以下の条件式（３ａ）を満足することが更に望ましい。
０．５＜（β２ｔ／β２ｗ）／（β３ｔ／β３ｗ）＜０．８  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、上記効果をより一層大きくすることができる。
【００２９】
第２群を、物体側から順に、負レンズと、負レンズと、正レンズと、で構成することが望ましい。通常、第２群をレンズ３枚で構成する際には、負レンズと、負レンズ及び正レンズから成る接合レンズと、で構成することになるが、高性能化を図るためには、接合レンズではなく単レンズが望ましい。第２群を単レンズで構成することにより、接合レンズの場合に接合面となる間隔の感度が増えることになるが、以下の条件式（４）を満たすことにより、その誤差感度を抑えつつ、収差補正、特に広角端での像面湾曲やコマ収差の適切な補正が可能となる。したがって、第２群が、物体側から順に、負レンズと、負レンズと、正レンズと、で構成され、以下の条件式（４）を満足することが望ましい。
０．８＜ＳＦ＜１０  …（４）
ただし、
ＳＦ＝（ＣＲ２Ｒ＋ＣＲ２Ｆ）／（ＣＲ２Ｒ−ＣＲ２Ｆ）
ＣＲ２Ｆ：第２群を構成している物体側から２番目の負レンズの物体側面の曲率半径、
ＣＲ２Ｒ：第２群を構成している物体側から２番目の負レンズの像側面の曲率半径、
である。
【００３０】
上記観点から、条件式（４）は第２群の物体側から２番目の負レンズのシェイプファクターに関する好ましい条件範囲を規定している。条件式（４）の下限を越えると、前記負レンズの像側面の曲率が像側に凹で、しかも、きつくなり、それによって面のパワーが強くなり、その結果、広角端での像面湾曲やコマ収差が発生し、かつ、後続の正レンズとの間隔による誤差感度が大きくなってしまい、好ましくない。逆に、条件式（４）の上限を越えると、前記負レンズの負パワーが弱くなり、それにより、収差補正、特に像面湾曲と球面収差の補正がバランスできなくなり、それを補正するために、第２群内の残りの負レンズへの負担が大きくなり、そのレンズが加工困難な形状になったり、加工性を考慮するとレンズの大型化を招いたり、レンズ枚数や非球面枚数の追加を伴うことになってしまう。
【００３１】
以下の条件式（４ａ）を満足することが更に望ましい。
１＜ＳＦ＜５  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、上記効果をより一層大きくすることができる。
【００３２】
以下の条件式（５）を満足することが望ましい。
−３＜ｆ（１−２）ｗ／ｆｗ＜−１  …（５）
ただし、
ｆ（１−２）ｗ：広角端における第１群と第２群との合成焦点距離、
ｆｗ：広角端における全系の焦点距離、
である。
【００３３】
条件式（５）は、第１群と第２群との合成焦点距離に関する好ましい条件範囲を規定している。条件式（５）の下限を越えると、第１群と第２群との合成焦点距離が大きくなって、入射光束を収束させるパワーが弱くなり、収差補正上は好ましいが、コンパクト化とは相反することになる。逆に、条件式（５）の上限を越えると、第１群と第２群との合成焦点距離が小さくなること（つまり、第１群と第２群との合成パワーが強くなること）により、収差の発生を招くことになる。特に、広角端での像面湾曲やコマ収差の補正が困難になるため好ましくない。
【００３４】
以下の条件式（５ａ）を満足することが更に望ましい。
−２＜ｆ（１−２）ｗ／ｆｗ＜−１．４  …（５ａ）
この条件式（５ａ）は、前記条件式（５）が規定している条件範囲のなかでも、前記観点等に基づいた更に好ましい条件範囲を規定している。したがって、好ましくは条件式（５ａ）を満たすことにより、上記効果をより一層大きくすることができる。
【００３５】
以下の条件式（６）を満足することが望ましい。
０．５＜ｆ３１／ｆ３＜１．２  …（６）
ただし、
ｆ３１：第３群を構成している最も物体側の正レンズの焦点距離、
ｆ３：第３群の焦点距離、
である。
【００３６】
条件式（６）は、物体側に凸面を向けた第３群の最も物体側の正レンズのパワーに関する好ましい条件範囲を規定している。この条件式（６）は、小型化と収差補正、特に望遠端の球面収差補正を適切に行うために必要な条件である。条件式（６）の下限を越えると、物体側に凸面を向けた正レンズのパワーが強くなるか、あるいは第３群全体のパワーが弱くなる。正レンズのパワーが強くなると、収差補正、特に望遠端の球面収差が大きく発生してしまい、また、第３群全体のパワーが弱くなると、移動量の増加や第３群のレンズ径が大きくなってしまい、好ましくない。条件式（６）の上限を越えると、物体側に凸面を向けた正レンズのパワーが弱くなるか、あるいは第３群全体のパワーが強くなる。正レンズのパワーが弱くなると、球面収差の発生自体は抑えられるが、光線を収束させられないので、それ以降に続くレンズ径が上がってしまい、好ましくない。また、第３群全体のパワーが強くなることで、小型化が図れる反面、第３群における収差、特に球面収差やコマ収差が発生することになる。その結果、光学系全体にわたっての収差補正が困難になり、レンズ枚数の追加や非球面の追加等が必要になるので、好ましくない。
【００３７】
以下の条件式（６ａ）を満足することが更に望ましい。
０．６５＜ｆ３１／ｆ３＜１．０５  …（６ａ）
この条件式（６ａ）は、前記条件式（６）が規定している条件範囲のなかでも、前記観点等に基づいた更に好ましい条件範囲を規定している。したがって、好ましくは条件式（６ａ）を満たすことにより、上記効果をより一層大きくすることができる。
【００３８】
本発明に係るズームレンズは、画像入力機能付きデジタル機器（例えば、デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成するズームレンズと、ズームレンズにより形成された光学像を電気的な信号に変換する撮像素子と、を備えることにより構成される。
【００３９】
カメラの例としては、デジタルカメラ，ビデオカメラ，監視カメラ，車載カメラ，テレビ電話用カメラ，ドアホーン用カメラ等が挙げられ、また、パーソナルコンピュータ，携帯情報機器（例えば、モバイルコンピュータ，携帯電話，携帯情報端末等の小型で携帯可能な情報機器端末），これらの周辺機器（マウス，スキャナー，プリンター，メモリー等），その他のデジタル機器等に内蔵又は外付けされるカメラが挙げられる。これらの例から分かるように、撮像光学装置を用いることによりカメラを構成することができるだけでなく、各種デジタル機器に撮像光学装置を搭載することによりカメラ機能を付加することが可能である。例えば、カメラ付き携帯電話等の画像入力機能付きデジタル機器を構成することが可能である。
【００４０】
図９に、画像入力機能を有するデジタル機器ＤＵの概略構成例を模式的断面で示す。図９に示すデジタル機器ＤＵに搭載されている撮像光学装置ＬＵは、物体（すなわち被写体）側から順に、物体の光学像（像面）ＩＭを変倍可能に形成するズームレンズＺＬ（ＡＸ：光軸，ＳＴ：絞り）と、平行平面板ＰＴ（必要に応じて配置される光学的ローパスフィルター，赤外カットフィルター等の光学フィルター；撮像素子ＳＲのカバーガラス等に相当する。）と、ズームレンズＺＬにより受光面ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００４１】
撮像素子ＳＲとしては、例えば複数の画素を有するＣＣＤ型イメージセンサ，ＣＭＯＳ型イメージセンサ等の固体撮像素子が用いられる。ズームレンズＺＬは、撮像素子ＳＲの受光面ＳＳ上に被写体の光学像ＩＭが形成されるように設けられているので、ズームレンズＺＬによって形成された光学像ＩＭは、撮像素子ＳＲによって電気的な信号に変換される。
【００４２】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータから成っており、撮影機能（静止画撮影機能，動画撮影機能等），画像再生機能等の機能の制御；ズーミングやフォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４３】
ズームレンズＺＬは、前述したように、正・負・正・正・正の５成分ズーム構成になっており、複数のズーム群が光軸ＡＸに沿って移動し、各群間隔を変化させることにより変倍（すなわちズーミング）を行い、撮像素子ＳＲの受光面ＳＳ上に光学像ＩＭを形成する構成になっている。なお、後述する各実施の形態（図１〜図４）ではズーム群として、第１群Ｇｒ１〜第４群Ｇｒ４が移動群を構成しており、第５群Ｇｒ５が固定群を構成している。
【００４４】
ズームレンズＺＬで形成されるべき光学像ＩＭは、例えば、撮像素子ＳＲの画素ピッチにより決定される所定の遮断周波数特性を有する光学的ローパスフィルター（図９中の平行平面板ＰＴに相当する。）を通過することにより、電気的な信号に変換される際に発生するいわゆる折り返しノイズが最小化されるように、空間周波数特性が調整される。これにより、色モアレの発生を抑えることができる。ただし、解像限界周波数周辺の性能を抑えてやれば、光学的ローパスフィルターを用いなくてもノイズの発生を懸念する必要がなく、また、ノイズがあまり目立たない表示系（例えば、携帯電話の液晶画面等）を用いてユーザーが撮影や鑑賞を行う場合には、光学的ローパスフィルターを用いる必要はない。
【００４５】
次に、第１〜第４の実施の形態を挙げて、ズームレンズＺＬの具体的な光学構成を更に詳しく説明する。図１〜図４は、第１〜第４の実施の形態を構成するズームレンズＺＬにそれぞれ対応するレンズ構成図であり、広角端（Ｗ）でのレンズ配置を光学断面で示している。各レンズ構成図中、ｄｉ（ｉ＝１，２，３，．．．）が付された軸上面間隔は、物体側から数えてｉ番目の軸上面間隔のうち、ズーミングにおいて変化する可変間隔である。各レンズ構成図中の矢印ｍ１，ｍ２，ｍ３，ｍ４は、広角端（Ｗ）から望遠端（Ｔ）へのズーミングにおける第１群Ｇｒ１，第２群Ｇｒ２，第３群Ｇｒ３，第４群Ｇｒ４の移動をそれぞれ模式的に示しており、最も像面ＩＭ側の矢印ｍ５は、第５群Ｇｒ５及び平行平面板ＰＴがズーミングにおいて位置固定であることを示している。
【００４６】
各実施の形態（図１〜図４）では、広角端（Ｗ）から望遠端（Ｔ）へのズーミングにおいて、第１群Ｇｒ１は物体側へ単調に移動し、第２群Ｇｒ２は像側への移動後に像側から物体側へＵターン移動し（Ｌ２２：第２群Ｇｒ２を構成している物体側から２番目のレンズ）、第３群Ｇｒ３は物体側へ単調に移動し（Ｌ３１：第３群Ｇｒ３を構成している最も物体側のレンズ，Ｌ３Ｌ：第３群Ｇｒ３を構成している最も像側のレンズ）、第４群Ｇｒ４は物体側への移動後に物体側から像側へＵターン移動する。一方、第５群Ｇｒ５及び平行平面板ＰＴは、像面ＩＭに対してズーム位置固定である。なお、いずれの実施の形態においても第３群Ｇｒ３は最も物体側に絞りＳＴを有しており、その絞りＳＴは第３群Ｇｒ３の一部としてズーム移動する構成（矢印ｍ３）になっている。
【００４７】
第１の実施の形態（図１）では、正・負・正・正・正の５成分ズーム構成において各群が以下のように構成されている。第１群Ｇｒ１は、物体側から順に、像側に凹の負メニスカスレンズ及び物体側に凸の正メニスカスレンズから成る接合レンズで構成されている。第２群Ｇｒ２は、物体側から順に、像側に凹の負メニスカスレンズ（物体側面が非球面）と、物体側に凹の負メニスカスレンズＬ２２と、両凸の正レンズと、で構成されている。第３群Ｇｒ３は、物体側から順に、絞りＳＴと、両凸の正レンズＬ３１（両面非球面）と、像側に凹の負メニスカスレンズ及び両凸の正レンズから成る接合レンズと、像側に凹の負メニスカスレンズＬ３Ｌと、で構成されている。第４群Ｇｒ４は、物体側に凸の正メニスカスレンズ１枚のみで構成されている。第５群Ｇｒ５は、像側に凸の正メニスカスレンズ（両面非球面）１枚のみで構成されている。
【００４８】
第２の実施の形態（図２）では、正・負・正・正・正の５成分ズーム構成において各群が以下のように構成されている。第１群Ｇｒ１は、物体側から順に、像側に凹の負メニスカスレンズ及び物体側に凸の正メニスカスレンズから成る接合レンズで構成されている。第２群Ｇｒ２は、物体側から順に、像側に凹の負メニスカスレンズ（両面非球面）と、物体側に凹の負メニスカスレンズＬ２２と、物体側に凸面を向けた平凸の正レンズと、で構成されている。第３群Ｇｒ３は、物体側から順に、絞りＳＴと、両凸の正レンズＬ３１（両面非球面）と、像側に凹の負メニスカスレンズ及び両凸の正レンズから成る接合レンズと、像側に凹の負メニスカスレンズＬ３Ｌと、で構成されている。第４群Ｇｒ４は、物体側に凸の正メニスカスレンズ１枚のみで構成されている。第５群Ｇｒ５は、像側に凸の正メニスカスレンズ（両面非球面）１枚のみで構成されている。
【００４９】
第３の実施の形態（図３）では、正・負・正・正・正の５成分ズーム構成において各群が以下のように構成されている。第１群Ｇｒ１は、物体側から順に、像側に凹の負メニスカスレンズ及び物体側に凸の正メニスカスレンズから成る接合レンズで構成されている。第２群Ｇｒ２は、物体側から順に、像側に凹の負メニスカスレンズ（物体側面が非球面）と、物体側に凹の負メニスカスレンズＬ２２と、両凸の正レンズと、で構成されている。第３群Ｇｒ３は、物体側から順に、絞りＳＴと、両凸の正レンズＬ３１（両面非球面）と、像側に凹の負メニスカスレンズ及び両凸の正レンズから成る接合レンズと、像側に凹の負メニスカスレンズＬ３Ｌと、で構成されている。第４群Ｇｒ４は、物体側に凸の正メニスカスレンズ１枚のみで構成されている。第５群Ｇｒ５は、像側に凸の正メニスカスレンズ（両面非球面）１枚のみで構成されている。
【００５０】
第４の実施の形態（図４）では、正・負・正・正・正の５成分ズーム構成において各群が以下のように構成されている。第１群Ｇｒ１は、物体側から順に、像側に凹の負メニスカスレンズ及び物体側に凸の正メニスカスレンズから成る接合レンズで構成されている。第２群Ｇｒ２は、物体側から順に、像側に凹の負メニスカスレンズ（両面非球面）と、物体側に凹の負メニスカスレンズＬ２２と、物体側に凸面を向けた平凸の正レンズと、で構成されている。第３群Ｇｒ３は、物体側から順に、絞りＳＴと、両凸の正レンズＬ３１（両面非球面）と、像側に凹の負メニスカスレンズと、両凸の正レンズと、像側に凹の負メニスカスレンズＬ３Ｌと、で構成されている。第４群Ｇｒ４は、物体側に凸の正メニスカスレンズ１枚のみで構成されている。第５群Ｇｒ５は、像側に凸の正メニスカスレンズ（両面非球面）１枚のみで構成されている。
【００５１】
各実施の形態を構成しているズームレンズＺＬには、入射光線を屈折作用により偏向させる屈折型レンズ（つまり、異なる屈折率を有する媒質同士の界面で偏向が行われるタイプのレンズ）が用いられているが、使用可能なレンズはこれに限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。ただし、媒質内で屈折率が変化する屈折率分布型レンズは、その複雑な製法がコストアップを招くため、屈折率分布の均一な均質素材レンズを用いることが望ましい。また、各実施の形態を構成しているズームレンズＺＬには、光学素子としてレンズ以外に絞りＳＴが用いられているが、不要光をカットするための光束規制板（例えばフレアカッター）等を必要に応じて配置してもよい。
【実施例】
【００５２】
以下、本発明を実施したズームレンズの構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表すレンズ構成図（図１〜図４）は、対応する実施例１〜４の光学構成をそれぞれ示している。
【００５３】
各実施例のコンストラクションデータでは、面データとして、左側の欄から順に、面番号ｉ，曲率半径ｒ（ｍｍ），軸上での面間隔ｄ（ｍｍ），ｄ線（波長５８７．５６ｎｍ）に関する屈折率ｎｄ，ｄ線に関するアッベ数ｖｄを示す。面番号に＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してｅ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００５４】
各種データとして、ズーム比，全系の焦点距離（ｆ，ｍｍ），Ｆナンバー（Ｆｎｏ．），半画角（ω，°），像高（ｙ’ｍａｘ，ｍｍ），レンズ全長（ＴＬ，ｍｍ），バックフォーカス（ＢＦ，ｍｍ），可変面間隔ｄｉ（ｍｍ）を示し、ズームレンズ群データとして、各レンズ群の焦点距離（ｍｍ）を示す。また表１に、各実施例の条件式対応値を示す。なお、バックフォーカスは、レンズ最終面から近軸像面までの距離を空気換算長により表記しており、レンズ全長は、レンズ最前面からレンズ最終面までの距離にバックフォーカスを加えたものである。
【００５５】
図５〜図８は、実施例１〜実施例４（ＥＸ１〜ＥＸ４）にそれぞれ対応する収差図であり、（Ｗ）は広角端（Ｗｉｄｅ），（Ｍ）は中間焦点距離状態（Ｍｉｄｄｌｅ），（Ｔ）は望遠端（Ｔｅｌｅ）における諸収差（左から順に、球面収差等，非点収差，歪曲収差である。）を示している。図５〜図８中、ＦＮＯはＦナンバー、Ｙ’（ｍｍ）は撮像素子ＳＲの受光面ＳＳ上での最大像高ｙ’ｍａｘ（光軸ＡＸからの距離に相当する。）である。球面収差図において、実線ｄ，一点鎖線ｇ，二点鎖線ｃはｄ線，ｇ線，ｃ線に対する球面収差（ｍｍ）をそれぞれ表しており、破線ＳＣは正弦条件不満足量（ｍｍ）を表している。非点収差図において、破線ＤＭはメリディオナル面、実線ＤＳはサジタル面でのｄ線に対する各非点収差（ｍｍ）を表している。また、歪曲収差図において実線はｄ線に対する歪曲（％）を表している。
【００５６】
実施例１
単位：mm
面データ
i              r          d       nd         vd
物面               ∞         ∞
1            25.907      0.900   1.92286   20.88
2            17.869      3.367   1.78335   43.16
3           119.928      可変
4*           26.625      0.700   1.85482   34.88
5             5.089      4.209
6            -9.006      0.700   1.71499   55.47
7           -73.908      0.100
8            24.515      1.652   1.94595   17.98
9           -57.838      可変
10 (絞り)       ∞        0.940
11*            7.353      2.030   1.64956   37.93
12*          -32.447      0.100
13            10.936      0.700   1.92053   21.76
14             6.192      2.422   1.50231   80.29
15            -8.742      0.100
16            23.138      0.700   1.87803   33.04
17             5.278      可変
18            14.566      1.174   1.87614   33.18
19            17.058      可変
20*          -49.047      1.745   1.53048   55.72
21*          -17.814      0.500
22              ∞        1.762   1.51680   64.20
23              ∞        1.214
像面               ∞
【００５７】
非球面データ
第4面
K= 0.0000e+000
A4= 1.7312e-004
A6=-2.2066e-006
A8=-2.7265e-008
A10= 1.7756e-009
A12=-2.3202e-011
A14= 0.0000e+000
A16= 0.0000e+000
【００５８】
第11面
K= 0.0000e+000
A4=-1.6400e-004
A6= 1.1936e-005
A8= 1.1257e-006
A10=-8.0575e-008
A12= 4.1966e-009
A14= 0.0000e+000
A16= 0.0000e+000
【００５９】
第12面
K= 0.0000e+000
A4= 9.4408e-004
A6= 1.7544e-005
A8= 1.2743e-006
A10=-7.9150e-008
A12= 5.3497e-009
A14= 0.0000e+000
A16= 0.0000e+000
【００６０】
第20面
K= 0.0000e+000
A4=-4.9252e-004
A6= 1.9015e-005
A8=-5.6887e-007
A10= 0.0000e+000
A12= 0.0000e+000
A14= 0.0000e+000
A16= 0.0000e+000
【００６１】
第21面
K= 0.0000e+000
A4=-4.4237e-004
A6= 1.7862e-005
A8=-5.0126e-007
A10= 0.0000e+000
A12= 0.0000e+000
A14= 0.0000e+000
A16= 0.0000e+000
【００６２】
各種データ
ズーム比      6.74
(Ｗ)      (Ｍ)      (Ｔ)
f          6.000    15.582    40.448
Fno.       2.879     4.276     5.891
ω        36.868    16.108     6.348
y'max       4.500     4.500     4.500
TL        44.932    50.850    70.414
BF         2.875     2.875     2.875
d3         0.700     7.234    18.324
d9        11.923     3.810     1.000
d17         5.543     4.269    23.107
d19         2.352    11.123     3.570
【００６３】
ズームレンズ群データ
群(面)        焦点距離
1 (  1-  3)     45.731
2 (  4-  9)     -6.840
3 ( 10- 17)     10.505
4 ( 18- 19)     93.296
5 ( 20- 23)     51.733
【００６４】
実施例２
単位：mm
面データ
i              r          d       nd         vd
物面               ∞         ∞
1            24.169      0.900   1.84666   23.78
2            17.008      3.799   1.72916   54.66
3           120.205      可変
4*          155.245      0.700   1.74330   49.33
5*            5.133      4.716
6           -11.274      0.700   1.78851   42.37
7           -28.768      0.500
8            24.649      1.617   1.94595   17.98
9              ∞        可変
10 (絞り)       ∞        0.940
11*            6.724      2.530   1.59778   44.03
12*          -18.173      0.500
13            20.717      0.700   1.90681   28.91
14             5.257      2.760   1.49700   81.61
15            -8.480      0.500
16           118.550      0.700   1.73118   54.12
17             7.090      可変
18            13.837      1.496   1.49700   81.61
19            24.198      可変
20*          -30.370      1.601   1.53048   55.72
21*          -14.412      0.500
22              ∞        0.550   1.51680   64.20
23              ∞        1.300
24              ∞        0.500   1.51680   64.20
25              ∞        0.610
像面               ∞
【００６５】
非球面データ
第4面
K= 0.0000e+000
A4= 8.5122e-005
A6= 2.9514e-006
A8=-9.5981e-008
A10= 3.5149e-010
A12= 7.3725e-012
A14= 0.0000e+000
A16= 0.0000e+000
【００６６】
第5面
K= 0.0000e+000
A4=-3.2246e-004
A6= 8.4749e-006
A8=-1.9667e-006
A10= 1.4433e-007
A12=-5.0070e-009
A14= 0.0000e+000
A16= 0.0000e+000
【００６７】
第11面
K= 0.0000e+000
A4=-3.4657e-004
A6= 1.2996e-005
A8=-6.7194e-007
A10= 2.8254e-008
A12= 8.6603e-010
A14= 0.0000e+000
A16= 0.0000e+000
【００６８】
第12面
K= 0.0000e+000
A4= 7.5004e-004
A6= 1.4947e-005
A8=-1.3741e-006
A10= 9.4879e-008
A12=-4.7711e-010
A14= 0.0000e+000
A16= 0.0000e+000
【００６９】
第20面
K= 0.0000e+000
A4= 1.0856e-003
A6=-4.3050e-005
A8=-1.0984e-006
A10= 7.4163e-008
A12=-8.9073e-010
A14= 0.0000e+000
A16= 0.0000e+000
【００７０】
第21面
K= 0.0000e+000
A4= 1.7208e-003
A6=-6.2513e-005
A8=-8.2771e-007
A10= 6.5111e-008
A12=-6.8675e-010
A14= 0.0000e+000
A16= 0.0000e+000
【００７１】
各種データ
ズーム比      6.75
(Ｗ)      (Ｍ)      (Ｔ)
f          6.105    15.855    41.201
Fno.       2.878     4.075     5.898
ω        36.392    15.845     6.233
y'max       4.500     4.500     4.500
TL        50.137    53.862    74.652
BF         3.102     3.102     3.102
d3         0.700     6.510    17.128
d9        14.056     3.937     1.000
d17         4.999     3.853    23.964
d19         2.621    11.802     4.800
【００７２】
ズームレンズ群データ
群(面)        焦点距離
1 (  1-  3)     44.142
2 (  4-  9)     -7.350
3 ( 10- 17)     11.922
4 ( 18- 19)     62.047
5 ( 20- 26)     49.965
【００７３】
実施例３
単位：mm
面データ
i              r          d       nd         vd
物面               ∞         ∞
1            25.369      0.900   1.92286   20.88
2            19.866      3.119   1.72916   54.70
3           138.411      可変
4*           59.525      0.700   1.75746   47.80
5             5.336      4.420
6            -8.649      0.700   1.72916   54.70
7           -31.551      0.100
8            32.440      1.651   1.92286   20.88
9           -46.253      可変
10 (絞り)       ∞        0.940
11*            7.323      1.983   1.60886   43.24
12*          -94.570      0.100
13            10.510      0.700   1.86170   25.93
14             6.064      2.461   1.50379   79.94
15            -9.942      0.100
16            17.823      0.700   1.86177   34.30
17             5.515      可変
18            13.242      1.174   1.90366   31.32
19            14.916      可変
20*         -258.251      1.800   1.53048   55.72
21*          -18.836      0.500
22              ∞        1.762   1.51680   64.20
23              ∞        1.213
像面               ∞
【００７４】
非球面データ
第4面
K= 0.0000e+000
A4= 2.3868e-004
A6=-3.2798e-006
A8= 2.8371e-008
A10= 1.4031e-010
A12=-4.7602e-012
A14= 0.0000e+000
A16= 0.0000e+000
【００７５】
第11面
K= 0.0000e+000
A4=-5.8651e-005
A6= 1.3003e-005
A8= 5.3917e-007
A10=-3.1156e-008
A12= 2.7142e-009
A14= 0.0000e+000
A16= 0.0000e+000
【００７６】
第12面
K= 0.0000e+000
A4= 8.8708e-004
A6= 2.1751e-005
A8= 2.2586e-007
A10= 5.8207e-009
A12= 2.8020e-009
A14= 0.0000e+000
A16= 0.0000e+000
【００７７】
第20面
K= 0.0000e+000
A4= 3.1453e-004
A6=-3.1001e-005
A8= 4.6868e-007
A10= 0.0000e+000
A12= 0.0000e+000
A14= 0.0000e+000
A16= 0.0000e+000
【００７８】
第21面
K= 0.0000e+000
A4= 7.3016e-004
A6=-4.4594e-005
A8= 6.3982e-007
A10= 0.0000e+000
A12= 0.0000e+000
A14= 0.0000e+000
A16= 0.0000e+000
【００７９】
各種データ
ズーム比      6.00
(Ｗ)      (Ｍ)      (Ｔ)
f          6.108    14.958    36.626
Fno.       2.880     4.230     5.895
ω        36.380    16.743     7.004
y'max       4.500     4.500     4.500
TL        47.087    50.564    70.423
BF         2.874     2.874     2.874
d3         0.700     5.333    16.373
d9        12.896     3.904     1.000
d17         7.243     4.901    23.307
d19         1.825    12.002     5.321
【００８０】
ズームレンズ群データ
群(面)        焦点距離
1 (  1-  3)     45.726
2 (  4-  9)     -7.303
3 ( 10- 17)     11.362
4 ( 18- 19)     97.961
5 ( 20- 23)     38.201
【００８１】
実施例４
単位：mm
面データ
i              r          d       nd         vd
物面               ∞         ∞
1            24.245      0.900   1.84666   23.78
2            16.952      3.910   1.72916   54.66
3           129.613      可変
4*           77.049      0.700   1.74330   49.33
5*            5.131      4.583
6           -13.797      0.700   1.89077   32.15
7           -39.995      0.500
8            22.586      1.717   1.94595   17.98
9              ∞        可変
10 (絞り)       ∞        0.940
11*           11.531      2.078   1.60173   43.03
12*          -11.779      0.500
13            50.271      0.700   1.84666   23.80
14            13.154      0.788
15             9.541      2.608   1.49700   81.61
16            -7.360      0.500
17            41.575      0.700   1.82293   37.97
18             5.282      可変
19            11.874      1.839   1.49700   81.61
20            24.383      可変
21*          -14.705      1.523   1.53048   55.72
22*           -9.272      0.500
23              ∞        0.550   1.51680   64.20
24              ∞        1.300
25              ∞        0.500   1.51680   64.20
26              ∞        0.617
像面               ∞
【００８２】
非球面データ
第4面
K= 0.0000e+000
A4=-4.5359e-004
A6= 3.1601e-005
A8=-8.8344e-007
A10= 1.0379e-008
A12=-3.8500e-011
A14= 0.0000e+000
A16= 0.0000e+000
【００８３】
第5面
K= 0.0000e+000
A4=-9.0230e-004
A6= 1.7951e-005
A8=-6.0382e-007
A10= 5.8110e-008
A12=-4.1060e-009
A14= 0.0000e+000
A16= 0.0000e+000
【００８４】
第11面
K= 0.0000e+000
A4=-3.9085e-004
A6= 2.2402e-005
A8= 3.1918e-007
A10= 1.1297e-007
A12= 3.3217e-010
A14= 0.0000e+000
A16= 0.0000e+000
【００８５】
第12面
K= 0.0000e+000
A4= 6.8631e-004
A6= 2.2773e-005
A8= 2.4103e-006
A10=-1.1721e-007
A12= 1.4154e-008
A14= 0.0000e+000
A16= 0.0000e+000
【００８６】
第21面
K= 0.0000e+000
A4= 1.3142e-003
A6=-3.1029e-005
A8= 1.7115e-006
A10=-4.1128e-008
A12= 3.8678e-010
A14= 0.0000e+000
A16= 0.0000e+000
【００８７】
第22面
K= 0.0000e+000
A4= 1.8964e-003
A6=-3.8746e-005
A8= 1.9598e-006
A10=-4.2097e-008
A12= 3.8010e-010
A14= 0.0000e+000
A16= 0.0000e+000
【００８８】
各種データ
ズーム比      6.75
(Ｗ)      (Ｍ)      (Ｔ)
f          6.107    15.867    41.207
Fno.       2.875     4.326     5.894
ω        36.386    15.834     6.232
y'max       4.500     4.500     4.500
TL        52.125    52.629    74.660
BF         3.110     3.110     3.110
d3         0.700     3.461    16.881
d9        15.445     3.201     1.000
d18         5.000     6.193    25.502
d20         2.686    11.479     2.982
【００８９】
ズームレンズ群データ
群(面)        焦点距離
1 (  1-  3)     43.602
2 (  4-  9)     -7.972
3 ( 10- 18)     12.685
4 ( 19- 20)     44.406
5 ( 21- 26)     43.115
【００９０】
【表１】
0005445102.tif 000002
【符号の説明】
【００９１】
ＤＵ    デジタル機器
ＬＵ    撮像光学装置
ＺＬ    ズームレンズ
Ｇｒ１    第１群
Ｇｒ２    第２群
Ｇｒ３    第３群
Ｇｒ４    第４群
Ｇｒ５    第５群
Ｌ２２    第２群を構成している物体側から２番目のレンズ
Ｌ３１    第３群を構成している最も物体側のレンズ
Ｌ３Ｌ    第３群を構成している最も像側のレンズ
ＳＴ    絞り
ＳＲ    撮像素子
ＳＳ    受光面
ＩＭ    像面（光学像）
ＡＸ    光軸
１    信号処理部
２    制御部
３    メモリ
４    操作部
５    表示部
【図１】
0005445102.tif 000003
【図２】
0005445102.tif 000004
【図３】
0005445102.tif 000005
【図４】
0005445102.tif 000006
【図５】
0005445102.tif 000007
【図６】
0005445102.tif 000008
【図７】
0005445102.tif 000009
【図８】
0005445102.tif 000010
【図９】
0005445102.tif 000011